(57)【要約】【課題】ビタミンＢ１やＢ１２などあらかじめ準備せず、印字発行時の編集によってこれを作成可能とし、外字登録などを行うことなく、印字発行を可能とするプリンターにおけるサフィックス記号文字発行装置を提供すること。【解決手段】ビタミンＢ群などサフィックスが付属する場合に、「Ｂ」文字のあとに「１」や「１２」があると判断したときに、印字発行の編集の段階で、サフィックスを小さく印字するように編集することに着目したもので、印字データ記憶部に記憶した印字データにサフィックス記号文字があるか否かを判断し、印字データにサフィックス記号文字があるときに、文字本体を半角に編集して印字部により印字可能とし、サフィックス記号をその桁数に応じて半分の高さおよび半角あるいは四分の一角にするとともに、文字本体に付属させるように編集して印字部により印字可能とすることを特徴とすることを特徴とする。【選択図】図８
2007230029.tif 000002
【特許請求の範囲】
【請求項１】
文字本体に付属するサフィックス記号を有するサフィックス記号文字を含む印字データを印字用紙に印字する印字部と、
この印字部に供給する前記印字データを入力する印字データ入力部と、
この印字データ入力部により入力した前記印字データを記憶する印字データ記憶部と、
この印字データ記憶部、前記印字部および前記印字データ入力部を制御する制御部と、を有するプリンターにおけるサフィックス記号文字発行装置であって、
前記制御部は、
前記印字データ記憶部に記憶した前記印字データに前記サフィックス記号文字があるか否かを判断し、前記印字データに前記サフィックス記号文字があるときに、
前記文字本体を半角に編集して前記印字部により印字可能とし、さらに、
前記サフィックス記号をその桁数に応じて半分の高さおよび半角あるいは四分の一角にするとともに、前記文字本体に付属させるように編集して前記印字部により印字可能とすることを特徴とするプリンターにおけるサフィックス記号文字発行装置。
【請求項２】
前記サフィックス記号文字が、ビタミンＢ群を表す文字であることを特徴とする請求項１記載のプリンターにおけるサフィックス記号文字発行装置。
【請求項３】
前記制御部は、
前記サフィックス記号の桁数が、一桁であれば前記サフィックス記号を半角に編集し、二桁であれば前記サフィックス記号のそれぞれの桁文字を四分の一角に編集することを特徴とする請求項１記載のプリンターにおけるサフィックス記号文字発行装置。
【請求項４】
前記印字データ入力部は、
前記印字データ記憶部に記憶する前記サフィックス記号文字に関する前記印字データを全角で入力可能とすることを特徴とする請求項１記載のプリンターにおけるサフィックス記号文字発行装置。
【請求項５】
前記印字データ記憶部は、
前記印字データ入力部により入力した前記サフィックス記号文字を記憶するサフィックス記号文字記憶領域を有することを特徴とする請求項１記載のプリンターにおけるサフィックス記号文字発行装置。
【発明の詳細な説明】
【技術分野】
【０００１】
本発明はプリンターにおけるサフィックス記号文字発行装置にかかるもので、とくにビタミンＢ１やビタミンＢ１２など、サフィックス記号を有するサフィックス記号文字を含む印字データを印字するプリンターにおけるサフィックス記号文字発行装置に関するものである。
【背景技術】
【０００２】
従来から、小売り業界において販売される各種食品についての内容を表示する内容表示札には、食品衛生法にもとづいて、食品の品名、原材料、添加物、製造者の名称や住所をはじめ、食品の種類に応じてその他各種の情報を表示することが義務付けられている。
こうした各種の情報のうち、とくに原材料や添加物を表示するために、その表示用として、たとえばビタミンＢ１やビタミンＢ１２その他のビタミンＢ群を表す文字など、文字本体に付属するサフィックス記号を有するサフィックス記号文字を含む印字データを印字する必要がある場合がある。
【０００３】
従来は、これらのサフィックス記号文字は、たとえば「Ｂ１」において「Ｂ」を半角文字（文字幅１／２）とするとともに、「Ｂ」の「１」は、食品衛生法上では原則的に高さを半分かつ半角文字として小さく印字しなければならない。ビタミンＢ２、Ｂ３、Ｂ５、Ｂ６の場合も同様であり、ビタミンＢ１２の場合には高さを半分にするとともに、「１２」を半角内（すなわち、「１」および「２」をそれぞれ四分の一角内）に印字する必要がある。
しかしながら、このようなサフィックス付きの印字を行うために、従来のプリンターにはその本体メモリー中にビタミン記号文字を外字として記憶（登録）しておく必要があるという問題がある。
さらに、このようなサフィックス記号文字をプリンターに標準搭載しておくためには、記憶容量を多く必要とするフラッシュＲＯＭ内でのメモリー領域、あるいは機構に応じてその他のメモリー領域を必要とするという問題がある。
【０００４】
もちろん、ビタミンＢ群の表示に限らず、サフィックス記号をともなう同様な文字の場合に同様の問題が発生する可能性がある。
【０００５】
【特許文献１】特開平６−１９８９６６号公報
【発明の開示】
【発明が解決しようとする課題】
【０００６】
本発明は以上のような諸問題にかんがみなされたもので、サフィックス記号文字があってもメモリー領域を多く必要としないプリンターにおけるサフィックス記号文字発行装置を提供することを課題とする。
【０００７】
また本発明は、ビタミンＢ１やビタミンＢ１２その他のビタミンＢ群を表す文字などサフィックス記号文字をあらかじめ準備するのではなく、印字発行時の編集によって作成可能とするプリンターにおけるサフィックス記号文字発行装置を提供することを課題とする。
【０００８】
また本発明は、サフィックス記号文字用のメモリーに保存したり、あるいは外字登録を行うことなく、サフィックス記号文字の印字データから判断してその印字発行を可能とするプリンターにおけるサフィックス記号文字発行装置を提供することを課題とする。
【課題を解決するための手段】
【０００９】
すなわち本発明は、たとえばビタミンとくにそのＢ群のうち、サフィックスが付属するサフィックス記号文字がある場合に、文字本体である「Ｂ」文字のあとにサフィックス記号としての「１」や「１２」がついていると判断したときに、印字発行の編集の段階で、これらのサフィックス記号を小さく印字するように編集することに着目したもので、文字本体に付属するサフィックス記号を有するサフィックス記号文字を含む印字データを印字用紙に印字する印字部と、この印字部に供給する上記印字データを入力する印字データ入力部と、この印字データ入力部により入力した上記印字データを記憶する印字データ記憶部と、この印字データ記憶部、上記印字部および上記印字データ入力部を制御する制御部と、を有するプリンターにおけるサフィックス記号文字発行装置であって、上記制御部は、上記印字データ記憶部に記憶した上記印字データに上記サフィックス記号文字があるか否かを判断し、上記印字データに上記サフィックス記号文字があるときに、上記文字本体を半角に編集して上記印字部により印字可能とし、さらに、上記サフィックス記号をその桁数に応じて半分の高さおよび半角あるいは四分の一角にするとともに、上記文字本体に付属させるように編集して上記印字部により印字可能とすることを特徴とするプリンターにおけるサフィックス記号文字発行装置である。
【００１０】
上記サフィックス記号文字が、ビタミンＢ群を表す文字であることができる。
【００１１】
上記制御部は、上記サフィックス記号の桁数が、一桁であれば上記サフィックス記号を半角に編集し、二桁であれば上記サフィックス記号のそれぞれの桁文字を四分の一角に編集することができる。
【００１２】
上記印字データ入力部は、上記印字データ記憶部に記憶する上記サフィックス記号文字に関する上記印字データを全角で入力可能とすることができる。
【００１３】
上記印字データ記憶部は、上記印字データ入力部により入力した上記サフィックス記号文字を記憶するサフィックス記号文字記憶領域を有することができる。
【発明の効果】
【００１４】
本発明によるプリンターにおけるサフィックス記号文字発行装置においては、印字データにサフィックス記号文字があるときに、たとえばビタミンＢなどの場合に、「Ｂ」という文字本体を半角に編集して印字部により印字可能とし、さらに、サフィックス記号をその桁数に応じて半分の高さおよび半角あるいは四分の一角にするとともに、文字本体に付属させるように編集して印字部により印字可能とすることとしたので、プリンターに外字登録を行う必要、あるいはあらかじめ文字データとしてＲＯＭなどに保存しておく必要ががなく、メモリー容量を節約することができる。
【発明を実施するための最良の形態】
【００１５】
本発明は、サフィックス記号文字を印字するプリンターとして、外字登録や専用のメモリー領域を準備することなく、印字発行の編集段階で、サフィックス記号を適正な大きさに作成するようにしたので、サフィックス記号文字用のメモリー領域を装備する必要がないプリンターにおけるサフィックス記号文字発行装置を実現した。
【実施例】
【００１６】
つぎに本発明の実施例によるプリンターにおけるサフィックス記号文字発行装置を図１ないし図８にもとづき説明する。
図１は、プリンター１（たとえばサーマルプリンター）の概略側面図、図２は、サーマルプリンター１の回路構成図であって、サーマルプリンター１は、印字用紙供給部２と、用紙検出部３と、印字部４と、印字データ入力部５と、印字データ記憶部６と、これらを制御する制御部７と、を有する。
【００１７】
印字用紙供給部２は、ラベルやタグその他任意の形態の印字用紙８をロール状に保持するとともに、用紙検出部３および印字部４方向に印字用紙８を帯状に繰り出し可能とする。
【００１８】
用紙検出部３は、ＬＥＤなどによる検出用センサー９を有し、印字部４に対する印字用紙８の位置を検出する。
【００１９】
印字部４は、サーマルヘッド１０およびプラテンローラー１１を有し、プラテンローラー１１をモーター１２により回転駆動し、印字用紙８の移送およびサーマルヘッド１０による印字用紙８への各種印字データの印字を可能とする。
この印字データとしては、後述するように、たとえばビタミン記号文字など、文字本体に付属するサフィックス記号を有するサフィックス記号文字を含む場合がある。
【００２０】
印字データ入力部５は、キー１３と、ディスプレイ１４と、必要ならばタッチパネル１５と、を有し、印字部４に供給する印字データを入力可能とする。
【００２１】
印字データ記憶部６は、ＲＡＭ１６と、必要ならばメモリーカード１７と、を有し、印字データ入力部５により入力した印字データを記憶する。
また、印字データ記憶部６（ＲＡＭ１６）は、印字データ入力部５により入力したサフィックス記号文字を記憶するサフィックス記号文字記憶領域１６Ａを有する。
【００２２】
制御部７（ＣＰＵ）は、ＲＯＭ１８に保存されている各種のプログラムにしたがって全体を制御する。
【００２３】
なお、制御部７に接続して、有線あるいは無線その他の方式による通信インターフェース１９を設けることにより、外部のコンピューター（図示せず）などから印字データを供給したり、制御するように構成することも可能である。
【００２４】
図３は、印字用紙８に印字して各種食品についての内容を表示する内容表示札２０の一例を示す説明図であって、たとえば、食品の品名、原材料、添加物、内容量、消費期限や保存方法、製造者の名称や住所、販売者の名称や住所、さらには必要に応じて管理用のバーコードなどを印字表示する。
【００２５】
たとえば、上記内容表示札２０において添加物の表示にビタミンがある場合に、その種類によって印字発行の形態が異なる。
本実施例においては、とくにサフィックス記号文字が、たとえばビタミンＢ群を表す文字（ビタミン記号文字）である場合に、そのサフィックス記号を編集により作成するものである。
図４は、サフィックス記号を持たないビタミンＡの印字発行形態を示す説明図、図５は、サフィックス記号を有するビタミンＢ１の印字発行形態を示す説明図、図６は、同じくサフィックス記号を有するビタミンＢ１２の印字発行形態を示す説明図である。
図４に示すように、ビタミンＡを発行する場合には、文字幅および高さともに基準単位の１／１で、文字幅は全角である。
図５に示すように、ビタミンＢ１を発行する場合には、文字本体「Ｂ」を文字幅１／２（半角）とするとともに、サフィックス記号「１」をその桁数（一桁）に応じて半分の高さおよび半角とする必要がある。
図６に示すように、ビタミンＢ１２を発行する場合には、文字本体「Ｂ」を文字幅１／２（半角）とするとともに、サフィックス記号「１２」をその桁数（二桁）に応じて、それぞれ「１」、「２」を半分の高さおよび四分の一角にする必要がある。
【００２６】
図７は、印字データ入力部５により印字データを入力する際にビタミン記号文字（サフィックス記号文字）を登録するフローチャート図であって、ステップＳ１において、内容表示札２０の印字レイアウトを含む印字データを入力設定する。
この入力操作において、印字データ入力部５は、印字データ記憶部６に記憶するサフィックス記号文字に関する印字データを全角で入力可能とする。すなわち、この入力操作段階では、ビタミンＢ１などについて、それぞれの「Ｂ」および「１」について、これららが文字本体かサフィックス記号かの判断をすることなく、あるいは「Ｂ」および「１」の全角あるいは半角をいちいち判断および操作する必要はなく、すべて全角で単純に文字コードとして入力可能とする。
【００２７】
このような入力作業によって「ビタミン・・・」と入力された場合に、サフィックス記号が付属する可能性があるので、このビタミン記号文字について印字データ入力部５により入力した当該サフィックス記号文字を全角の文字コードとして印字データ記憶部６のサフィックス記号文字記憶領域１６Ａに記憶する。
すなわち具体的には、ステップＳ２において、制御部７は、ビタミン記号文字（ビタミンＡ、あるいはビタミンＢ１やビタミンＢ１２などの文字）が入力（設定）されたか否かを判断し、あれば、ステップＳ３においてサフィックス記号文字記憶領域１６Ａにこのビタミン記号文字を登録する。
ステップＳ２においてビタミン記号文字の設定がなければ、ステップＳ４において設定登録が終了かを判断し、ステップＳ５で設定完了キー（図示せず）を押して登録を終了する。
【００２８】
図８は、サーマルプリンター１において実際に印字用紙８（内容表示札２０）を印字発行する際のビタミン記号文字の編集処理を示すフローチャート図であって、ステップＳ１１において、印字用紙８への印字レイアウトおよび印字データの編集処理を行う。
ここで、ステップＳ１２において、印字データ中にビタミン記号文字があるか否かを判断し、ステップＳ１３において、文字本体（文字コード）が「Ｂ」であるか否かを判断する。
文字コードが「Ｂ」であれば、ステップＳ１４において、つぎの文字コードが「０」〜「９」であるかを判断し、そうであれば、ビタミンＢにつづくサフィックス記号があると判断し、ステップＳ１５において、つぎの文字コードが「０」〜「９」であるかを判断する。
【００２９】
ステップＳ１５において、つぎの文字コードがなければ、ステップＳ１６においてビタミン記号文字の一文字編集処理を行う。すなわち、図５に示すように、文字本体「Ｂ」を半角に編集して印字部４により印字可能とし、さらに、サフィックス記号たとえば「１」をその桁数（一桁）に応じて半分の高さおよび半角にするとともに、文字本体「Ｂ」に付属させるように編集して印字部４により印字可能とする。
【００３０】
ステップＳ１５において、つぎの文字コードがあれば、ステップＳ１７においてビタミン記号文字の二文字編集処理を行う。すなわち、図６に示すように、文字本体「Ｂ」を半角に編集して印字部４により印字可能とし、さらに、サフィックス記号たとえば「１２」をその桁数（二桁）に応じて半分の高さおよび四分の一角にするとともに、文字本体「Ｂ」に付属させるように編集して印字部４により印字可能とする。
【００３１】
最後に、ステップＳ１８において、編集データの有無を確認し、印字発行を終了する。
【産業上の利用可能性】
【００３２】
本発明においては、サフィックス記号を有する文字を編集することができるもので、既述のビタミン記号文字以外にも、任意の文字の編集に利用することができる。
さらに、任意のサフィックス文字がある場合に、文字本体を全角あるいは半角とし、サフィックス記号のみを半角などにすることもできる。
また、三つ以上のサフィックス記号がある場合にも、既述の実施例と同様にして、それぞれのサフィックス記号を文字本体に付属させるとともに、半角あるいは四分の一角に編集印字することができる。
【図面の簡単な説明】
【００３３】
【図１】本発明の実施例によるプリンターにおけるサフィックス記号文字発行装置を装備したプリンター１（たとえばサーマルプリンター）の概略側面図である。
【図２】同、サーマルプリンター１の回路構成図である。
【図３】同、印字用紙８に印字して各種食品についての内容を表示する内容表示札２０の一例を示す説明図である。
【図４】同、サフィックス記号を持たないビタミンＡの印字発行形態を示す説明図である。
【図５】同、サフィックス記号を有するビタミンＢ１の印字発行形態を示す説明図である。
【図６】同、サフィックス記号を有するビタミンＢ１２の印字発行形態を示す説明図である。
【図７】同、印字データ入力部５により印字データを入力する際にビタミン記号文字（サフィックス記号文字）を登録するフローチャート図である。
【図８】同、サーマルプリンター１において実際に印字用紙８（内容表示札２０）を印字発行する際のビタミン記号文字の編集処理を示すフローチャート図である。
【符号の説明】
【００３４】
１  サーマルプリンター（図１、図２）
２  印字用紙供給部
３  用紙検出部
４  印字部
５  印字データ入力部
６  印字データ記憶部
７  制御部
８  印字用紙
９  検出センサー
１０  サーマルヘッド
１１  プラテンローラー
１２  モーター
１３  キー
１４  ディスプレイ
１５  タッチパネル
１６  ＲＡＭ
１６Ａ  ＲＡＭ１６のサフィックス記号文字記憶領域
１７  メモリーカード
１８  ＲＯＭ
１９  通信インターフェース
２０  内容表示札（図３）
【図１】
2007230029.tif 000003
【図２】
2007230029.tif 000004
【図３】
2007230029.tif 000005
【図４】
2007230029.tif 000006
【図５】
2007230029.tif 000007
【図６】
2007230029.tif 000008
【図７】
2007230029.tif 000009
【図８】
2007230029.tif 000010